(57)【特許請求の範囲】
【請求項１】
複数の投影装置によるマルチ投影が可能な投影装置であって、
複数のテストパターン画像を記憶する記憶手段と、
自身の第１投影領域と他の投影装置の第２投影領域とが重なるエッジブレンディング領域の位置に基づいて、前記複数のテストパターン画像から一のテストパターン画像を選択する選択手段と、
前記選択手段が選択した前記一のテストパターン画像を投影する投影手段と、
を有し、
前記選択手段は、前記エッジブレンディング領域が、前記第１投影領域の左端又は右端に設定されている場合に、上下方向において画像パターンが変化する第１画像を選択し、前記エッジブレンディング領域が、前記第１投影領域の上端又は下端に設定されている場合に、左右方向において画像パターンが変化する第２画像を選択することを特徴とする投影装置。
【請求項２】
前記第１画像は、前記上下方向において階調が変化し、前記第２画像は、前記左右方向において階調が変化することを特徴とする、
請求項１に記載の投影装置。
【請求項３】
前記選択手段は、前記エッジブレンディング領域が左右位置及び上下位置に設定されている場合に、上下方向及び左右方向において画像パターンが変化する第３画像を選択することを特徴とする、
請求項１または２に記載の投影装置。
【請求項４】
複数の投影装置によるマルチ投影が可能な投影装置であって、
複数のテストパターン画像を記憶する記憶手段と、
自身の第１投影領域と他の投影装置の第２投影領域とが重なるエッジブレンディング領域の位置に基づいて、前記複数のテストパターン画像から一のテストパターン画像を選択する選択手段と、
前記選択手段が選択した前記一のテストパターン画像を投影する投影手段と、
前記エッジブレンディング領域の位置を示す位置情報を取得する取得手段と、を有し、
前記選択手段は、前記一のテストパターン画像を選択する前に、前記複数のテストパターン画像から選択したテストパターン画像候補を前記位置情報に基づいて選択し、前記位置情報に基づいて定められた順番に、前記投影手段に前記テストパターン画像候補を投影させることを特徴とする投影装置。
【請求項５】
他の投影装置と情報を送受信する通信手段をさらに有し、
前記通信手段は、前記選択手段が選択した前記一のテストパターン画像の特定に用いられる特定情報を前記他の投影装置に送信することを特徴とする、
請求項１から４のいずれか１項に記載の投影装置。
【請求項６】
複数の投影装置によるマルチ投影が可能な投影装置において実行される投影方法であって、
前記投影装置の第１投影領域と他の投影装置の第２投影領域とが重なるエッジブレンディング領域の位置に基づいて、複数のテストパターン画像から一のテストパターン画像を選択するステップと、
選択した前記一のテストパターン画像を投影するステップと、
を有し、
前記選択するステップは、前記エッジブレンディング領域が、前記第１投影領域の左端又は右端に設定されている場合に、上下方向において画像パターンが変化する第１画像を選択し、前記エッジブレンディング領域が、前記第１投影領域の上端又は下端に設定されている場合に、左右方向において画像パターンが変化する第２画像を選択することを特徴とする投影方法。
【請求項７】
前記選択するステップにおいて、前記エッジブレンディング領域が左右位置及び上下位置に設定されている場合に、上下方向及び左右方向において画像パターンが変化する第３画像を選択することを特徴とする、
請求項６に記載の投影方法。
【請求項８】
複数の投影装置によるマルチ投影が可能な投影装置において実行される投影方法であって、
前記投影装置の第１投影領域と他の投影装置の第２投影領域とが重なるエッジブレンディング領域の位置に基づいて、複数のテストパターン画像から一のテストパターン画像を選択するステップと、
選択した前記一のテストパターン画像を投影するステップと、
前記エッジブレンディング領域の位置を示す位置情報を取得する取得ステップと、を有し、
前記選択するステップは、
前記一のテストパターン画像を選択する前に、前記複数のテストパターン画像から選択したテストパターン画像候補を前記位置情報に基づいて選択するステップと、
選択した前記テストパターン画像候補を、前記位置情報に基づいて定められた順番に、投影するステップと、
を有することを特徴とする投影方法。
【請求項９】
前記選択するステップを実行した後に、選択した前記一のテストパターン画像の特定に用いられる特定情報を他の投影装置に送信する送信ステップをさらに有することを特徴とする、
請求項６から８のいずれか１項に記載の投影方法。
【発明の詳細な説明】
【技術分野】
【０００１】
本発明は、複数の投影装置によるマルチ投影が可能な投影装置、及び当該投影装置における投影方法に関するものである。
【背景技術】
【０００２】
複数の投影装置が出力した投影画像の端部領域を重畳させて一つの投影画像を作成するマルチ投影方法が知られている。マルチ投影を行う際には、各投影装置からテストパターン画像を出力し、ユーザは、それぞれのテストパターン画像の模様が重なるように各投影装置の位置を調整する。特許文献１には、マルチ投影面の調整時に、格子状のテストパターン画像におけるエッジブレンディング領域の画像を左右反転表示することにより、複数の投影装置が、エッジブレンディング領域において同一の模様のテストパターン画像を投影できるようにする技術が開示されている。
【先行技術文献】
【特許文献】
【０００３】
【特許文献１】特開２０１３−７４４７５号公報
【発明の概要】
【発明が解決しようとする課題】
【０００４】
しかしながら、特許文献１に記載された方法では、投影装置の位置の変更によりエッジブレンディング領域の境界の位置が変化するたびに、左右反転表示する領域を変更する処理を実行する必要があった。投影装置の位置を変更するたびにテストパターン画像を生成し直すと、テストパターン画像が表示されるまでに遅延が生じてしまうので、操作性が悪くなる。そこで、高速にテストパターン画像を生成するために、専用の画像処理手段を設ける必要があった。
【０００５】
他方で、専用の画像処理手段を設けない場合、さまざまなテストパターン画像から、マルチ投影面の調整に適したテストパターン画像を選択する必要が生じてしまう。この場合、調整に慣れていないユーザは、マルチ投影面の調整に適したテストパターン画像を見つけるまでに長い時間を要してしまったり、マルチ投影面の調整に適していないテストパターン画像を選択してしまったりするという問題があった。
【０００６】
本発明は上述した点に鑑みてなされたものであり、エッジブレンディング領域の調整に適したテストパターン画像を簡便に表示できるようにすることを目的とする。
【課題を解決するための手段】
【０００７】
上記の課題を解決するために、本発明の投影装置の一の形態は、複数の投影装置によるマルチ投影が可能な投影装置であって、複数のテストパターン画像を記憶する記憶手段と、自身の第１投影領域と他の投影装置の第２投影領域とが重なるエッジブレンディング領域の位置に基づいて、前記複数のテストパターン画像から一のテストパターン画像を選択する選択手段と、前記選択手段が選択した前記一のテストパターン画像を投影する投影手段と、を有し、前記選択手段は、前記エッジブレンディング領域が、前記第１投影領域の左端又は右端に設定されている場合に、上下方向において画像パターンが変化する第１画像を選択し、前記エッジブレンディング領域が、前記第１投影領域の上端又は下端に設定されている場合に、左右方向において画像パターンが変化する第２画像を選択することを特徴とする。また、本発明の投影装置の一の形態は、複数の投影装置によるマルチ投影が可能な投影装置であって、複数のテストパターン画像を記憶する記憶手段と、自身の第１投影領域と他の投影装置の第２投影領域とが重なるエッジブレンディング領域の位置に基づいて、前記複数のテストパターン画像から一のテストパターン画像を選択する選択手段と、前記選択手段が選択した前記一のテストパターン画像を投影する投影手段と、前記エッジブレンディング領域の位置を示す位置情報を取得する取得手段と、を有し、前記選択手段は、前記一のテストパターン画像を選択する前に、前記複数のテストパターン画像から選択したテストパターン画像候補を前記位置情報に基づいて選択し、前記位置情報に基づいて定められた順番に、前記投影手段に前記テストパターン画像候補を投影させることを特徴とする。
【０００８】
また、本発明の投影方法の一の形態は、複数の投影装置によるマルチ投影が可能な投影装置において実行される投影方法であって、前記投影装置の第１投影領域と他の投影装置の第２投影領域とが重なるエッジブレンディング領域の位置に基づいて、複数のテストパターン画像から一のテストパターン画像を選択するステップと、選択した前記一のテストパターン画像を投影するステップと、を有し、前記選択するステップは、前記エッジブレンディング領域が、前記第１投影領域の左端又は右端に設定されている場合に、上下方向において画像パターンが変化する第１画像を選択し、前記エッジブレンディング領域が、前記第１投影領域の上端又は下端に設定されている場合に、左右方向において画像パターンが変化する第２画像を選択することを特徴とする。また、本発明の投影方法の一の形態は、複数の投影装置によるマルチ投影が可能な投影装置において実行される投影方法であって、前記投影装置の第１投影領域と他の投影装置の第２投影領域とが重なるエッジブレンディング領域の位置に基づいて、複数のテストパターン画像から一のテストパターン画像を選択するステップと、選択した前記一のテストパターン画像を投影するステップと、前記エッジブレンディング領域の位置を示す位置情報を取得する取得ステップと、を有し、前記選択するステップは、前記一のテストパターン画像を選択する前に、前記複数のテストパターン画像から選択したテストパターン画像候補を前記位置情報に基づいて選択するステップと、選択した前記テストパターン画像候補を、前記位置情報に基づいて定められた順番に、投影するステップと、を有することを特徴とする。
【発明の効果】
【０００９】
本発明によれば、エッジブレンディング領域の調整に適したテストパターン画像を簡便に表示できるようになるという効果を奏する。
【図面の簡単な説明】
【００１０】
【図１】プロジェクタ１を用いたマルチ投影の概要を説明するための図である。
【図２】プロジェクタ１の構成を示す図である。
【図３】ユーザがエッジブレンディング領域２００の位置を設定するためのメニュー画面の一例を示す図である。
【図４】ユーザがエッジブレンディング領域２００の位置を設定するためのメニュー画面の他の例を示す図である。
【図５】ユーザがエッジブレンディング領域２００の位置を設定するためのメニュー画面の他の例を示す図である。
【図６】テストパターン画像の種別を示す表である。
【図７】テストパターン画像を投影する処理の手順を示すフローチャートである。
【図８】テストパターン画像候補を投影する処理の手順を示すフローチャートである。
【図９】第２の実施形態に係るプロジェクタ１の構成を示す図である。
【発明を実施するための形態】
【００１１】
＜第１の実施形態＞
［マルチ投影の概要］
図１は、プロジェクタ１を用いたマルチ投影の概要を説明するための図である。プロジェクタ１ａ，１ｂは、複数台を左右又は上下に並べて配置された状態で、スクリーンにマルチ投影することができる投影装置である。本明細書において、プロジェクタ１ａ，１ｂに共通する機能について説明する場合に、プロジェクタ１と称することがある。
【００１２】
プロジェクタ１は、例えば、透過型液晶パネルを用いたプロジェクタである。プロジェクタ１は、投影する画像に応じて液晶素子の光の透過率を制御して、液晶素子を透過した光源からの光をスクリーンに投影することで画像をスクリーンに投影する。プロジェクタ１は、表示デバイスとして透過型液晶パネルを用いたプロジェクタに限らず、ＤＬＰ（Digital Light Processing）方式、ＬＣＯＳ（Liquid Crystal On Silicon）方式等を用いる他の表示デバイスを用いたプロジェクタであってもよい。また、液晶プロジェクタとしては、単板式及び３板式が一般に知られているが、どちらの方式の液晶プロジェクタであってもよい。
【００１３】
図１に示す例において、プロジェクタ１ａ，１ｂは、左右に並んで配置されており、左右に並んだ投影画像１００ａ，１００ｂを出力することにより、１つの投影面を作成している。図１において斜線で示す領域は、投影画像１００ａの領域の一部と投影画像１００ｂの領域の一部とが重なったエッジブレンディング領域２００である。エッジブレンディング領域２００においては、投影画像１００ａの明るさは、エッジブレンディング領域２００の右端に近づくにつれて低下し、投影画像１００ｂの明るさは、エッジブレンディング領域２００の左端に近づくにつれて低下する。
【００１４】
ユーザは、図１に示すように、複数台のプロジェクタ１ａ，１ｂの投影面の一部が重複するように配置した後に、プロジェクタ１ａ，１ｂのエッジブレンディング設定を行う。プロジェクタ１ａ，１ｂは、エッジブレンディング設定を行うモードにおいて、エッジブレンディング領域２００の位置に基づいて複数のテストパターン画像から選択されたテストパターン画像を投影する。ユーザは、テストパターン画像を用いて、プロジェクタ１ａ，１ｂの位置、向き及び投影画像の色合い等を調整することができる。
【００１５】
［プロジェクタ１の構成の説明］
以下、本実施形態に係るプロジェクタ１の構成について詳細に説明する。
図２は、プロジェクタ１の構成を示す図である。プロジェクタ１は、投影部１１と、接続部１２と、操作部１３と、画像処理部１４と、ＲＯＭ１５と、ＲＡＭ１６と、制御部１７と、を有する。
【００１６】
投影部１１は、画像処理部１４が生成した画像に基づく投影画像１００をスクリーンに投影する。投影部１１は、光源１１１と、光源制御部１１２と、液晶パネル部１１３と、液晶駆動部１１４と、投影光学系１１５と、光学系制御部１１６と、を有する。
【００１７】
光源１１１は、スクリーンに投影画像１００を投影するための光を出力する。光源１１１は、例えば、ハロゲンランプ、キセノンランプ、又は高圧水銀ランプ等である。
光源制御部１１２は、制御部１７から入力される制御命令に基づいて、光源１１１の光量の調整、及び出射のオン／オフ制御をする。
【００１８】
液晶パネル部１１３は、赤色（Ｒ）、緑色（Ｇ）、青色（Ｂ）（以下、「ＲＧＢ」という）に対応する液晶素子を有している。液晶パネル部１１３は、光源１１１から出射され、ミラー（不図示）で分離されたＲＧＢの光から各色の画像を生成する。具体的には、液晶パネル部１１３は、液晶駆動部１１４の制御に基づいて、ＲＧＢの各色に対応する液晶素子の透過率を変化させることにより、画像処理部１４から入力された投影画像に対応する各色の光を投影光学系１１５へと出力する。
液晶駆動部１１４は、制御部１７から入力される制御命令に基づいて、液晶パネル部１１３の透過率を制御することにより、画像処理部１４から入力された投影画像に対応するＲＧＢの各色の光を液晶パネル部１１３から出力させる。
【００１９】
投影光学系１１５は、液晶パネル部１１３が出力した各色の光の合成光をスクリーンに投影する。投影光学系１１５は、複数のレンズ、及びレンズ駆動用のアクチュエータを有している。投影光学系１１５は、光学系制御部１１６の制御に基づいて、アクチュエータによりレンズを駆動することで、投影画像の拡大、縮小及び焦点調整等を行うことができる。
光学系制御部１１６は、制御部１７から入力される制御命令に基づいて、投影光学系１１５を制御し、ズーム率、シフト量及びフォーカス等を調整する。
【００２０】
接続部１２は、外部装置から映像信号、音声信号、及び各種の制御信号を受信するインターフェイスである。接続部１２は、例えば、コンポジット端子、Ｓ映像端子、Ｄ端子、コンポーネント端子、アナログＲＧＢ端子、ＤＶＩ−Ｉ端子、ＤＶＩ−Ｄ端子、又はＨＤＭＩ（登録商標）端子等を有する。接続部１２は、受信した映像信号から抽出した画像データを画像処理部１４へと出力する。なお、外部装置は、パーソナルコンピュータ、カメラ、携帯電話、スマートフォン、ハードディスクレコーダ及びゲーム機等のように、映像信号を出力することができる装置である。
【００２１】
操作部１３は、ユーザの指示を受け付け、指示の内容を制御部１７に通知するデバイスである。操作部１３は、例えば、プロジェクタ１の筐体に備え付けられている操作インターフェイスであり、スイッチ、ダイヤル、又は表示部上に設けられたタッチパネル等である。
【００２２】
画像処理部１４は、接続部１２を介して外部装置から入力される画像データの解像度の変更、フレームレートの変更、画像の形状の変形、色調変換、エッジブレンド処理、メニュー画像のＯＳＤ（On Screen Display）オーバーラップ処理等のように、投影画像に対する各種の変更処理を行う。画像処理部１４は、変更処理後の画像を投影部１１へと出力する。画像処理部１４は、例えば、画像処理用のマイクロプロセッサを有する。
【００２３】
ＲＯＭ１５は、制御部１７の処理手順を記述した制御プログラム、制御部１７が各種の処理に用いるデータテーブル、及び投影部１１がスクリーンに投影するテストパターン画像を記憶している記憶手段である。ＲＯＭ１５は、使用に適した調整内容に関連付けて、複数のテストパターン画像を記憶している。例えば、ＲＯＭ１５は、エッジブレンディング領域２００に関する調整である第１種別調整に用いられる第１種別テストパターン画像と、第１種別調整と異なる内容の調整である第２種別調整で用いられる第２種別テストパターン画像とを記憶している。第１種別テストパターン画像は、例えば、エッジブレンディング領域２００の位置の調整に適した画像である。第２種別テストパターンは、例えば、フォーカス調整、及び色合い調整等に適した画像である。
【００２４】
ＲＡＭ１６は、制御部１７が動作する際のワークメモリである。ＲＡＭ１６は、接続部１２を介して入力される画像データ、画像処理部１４において画像処理が行われた後の画像データ等を一時的に記憶する。
【００２５】
制御部１７は、例えばＣＰＵである。制御部１７は、ＲＯＭ１５に記憶されているプログラムを実行することにより、取得部１７１及び選択部１７２として機能する。
取得部１７１は、投影画像におけるエッジブレンディング領域２００の位置を示す位置情報を取得する。取得部１７１は、例えば、操作部１３を介して入力されるユーザによる設定内容が示す位置情報を取得する。取得部１７１は、取得した位置情報を選択部１７２に通知する。
【００２６】
図３は、エッジブレンディング領域２００の位置を設定するための画面の一例を示す図である。図３において、プロジェクタ１ａ及びプロジェクタ１ｂは、左右方向に並んで配置されている。図３における投影画像１００ａにはメニュー画像１５０ａが表示されており、投影画像１００ｂにはメニュー画像１５０ｂが表示されている。メニュー画像１５０ａは、ユーザにより、エッジブレンディング領域２００の位置として右端が選択された状態を示している。メニュー画像１５０ｂは、ユーザにより、エッジブレンディング領域２００の位置として左端が選択された状態を示している。
【００２７】
図４は、エッジブレンディング領域２００の位置を設定するための画面の他の例を示す図である。図４において、プロジェクタ１ａ及びプロジェクタ１ｂは、上下方向に重ねて配置されている。メニュー画像１５０ａは、ユーザにより、エッジブレンディング領域２００の位置として上端が選択された状態を示している。メニュー画像１５０ｂは、ユーザにより、エッジブレンディング領域２００の位置として下端が選択された状態を示している。
【００２８】
図５は、エッジブレンディング領域２００の位置を設定するための画面の他の例を示す図である。図５において、プロジェクタ１ａ及びプロジェクタ１ｂは、上下方向に重ねて配置されている。また、プロジェクタ１ｃ及びプロジェクタ１ｄは、プロジェクタ１ａ及びプロジェクタ１ｂの右側に隣接した位置で、上下方向に重ねて配置されている。
【００２９】
メニュー画像１５０ａは、ユーザにより、エッジブレンディング領域２００の位置として右端及び上端が選択された状態を示している。メニュー画像１５０ｂは、ユーザにより、エッジブレンディング領域２００の位置として右端及び下端が選択された状態を示している。メニュー画像１５０ｃは、ユーザにより、エッジブレンディング領域２００の位置として左端及び上端が選択された状態を示している。メニュー画像１５０ｄは、ユーザにより、エッジブレンディング領域２００の位置として左端及び下端が選択された状態を示している。
【００３０】
選択部１７２は、エッジブレンディング機能が起動している場合に、エッジブレンディング領域２００の位置に基づいて、ＲＯＭ１５に記憶された複数のテストパターン画像から一のテストパターン画像を選択する。選択部１７２は、例えば、エッジブレンディング機能が起動している場合に、ＲＯＭ１５に記憶された複数のテストパターン画像のうち、エッジブレンディング領域２００の調整に適した複数の第１種別テストパターン画像から一のテストパターン画像を選択する。なお、選択部１７２は、エッジブレンディング機能が起動していない場合に、エッジブレンディング領域２００の調整に適しておらず、調整する内容に適した第２種別テストパターン画像を選択する。
【００３１】
選択部１７２は、例えば、取得部１７１から取得した位置情報に基づいて、ユーザにより設定されたエッジブレンディング領域２００の位置を特定する。選択部１７２は、エッジブレンディング領域２００が、第１投影領域の左端又は右端に設定されている左右位置か、エッジブレンディング領域２００が、第１投影領域の上端又は下端に設定されている上下位置かに基づいてテストパターン画像を選択する。
【００３２】
図６は、テストパターン画像の種別を示す表である。図６の表は、エッジブレンディング領域の位置ごとに各テストパターン画像の種別が適するか否かを示している。図６においては、ＩＤ１，ＩＤ３，ＩＤ５及びＩＤ６のテストパターン画像のように、上下方向において画像パターンが変化し、左右方向に平行な線を含むテストパターン画像（第１画像）が、エッジブレンディング領域２００が左右位置である場合に適していることが示されている。
【００３３】
また、図６においては、ＩＤ２，ＩＤ４，ＩＤ５及びＩＤ６のテストパターン画像のように、左右方向において画像パターンが変化し、上下方向に平行な線を有するテストパターン画像（第２画像）が、エッジブレンディング領域２００が上下位置である場合に適していることが示されている。また、図６においては、ＩＤ５及びＩＤ６のテストパターン画像のように、左右方向及び上下方向において画像パターンが変化し、左右方向及び上下方向に平行な線を含むテストパターン画像（第３画像）が、エッジブレンディング領域２００が左右位置及び上下位置を含む左右上下位置である場合に適していることが示されている。
【００３４】
なお、ＩＤ７のテストパターン画像のようなモノスコテストパターン、及びＩＤ８のテストパターン画像のようなキャラクタテストパターンは、エッジブレンディング領域２００の調整には適しておらず、フォーカス調整等に適している第２種別テストパターンである。
【００３５】
選択部１７２は、図３に示した例のように、エッジブレンディング領域２００の位置が左右位置に設定されている場合に第１画像又は第３画像を選択する。選択部１７２は、図４に示した例のように、エッジブレンディング領域２００が上下位置に設定されている場合に第２画像又は第３画像を選択する。また、選択部１７２は、図５に示した例のように、左右位置及び上下位置の両位置にエッジブレンディング領域２００が設定されている場合に、第３画像を選択する。
【００３６】
選択部１７２は、エッジブレンディング領域２００の位置に適したテストパターン画像が複数ある場合、予め設定された最も優先順位が高いテストパターン画像を選択してもよい。例えば、選択部１７２は、エッジブレンディング領域２００の位置が左右位置に設定されている場合に、上下方向において階調が変化する画像パターンを有するテストパターン画像（例えば、ＩＤ１のテストパターン画像）を優先的に選択する。また、選択部１７２は、エッジブレンディング領域２００の位置が上下位置に設定されている場合に、左右方向において階調が変化する画像パターンを有するテストパターン画像（例えば、ＩＤ２のテストパターン画像）を優先的に選択する。これらのテストパターン画像を用いることにより、ユーザは、エッジブレンディング領域２００の位置を調整するとともに、画質の調整をすることができる。
【００３７】
選択部１７２は、一のテストパターン画像を選択する前に、複数のテストパターン画像から選択した一以上のテストパターン画像候補を、取得部１７１が取得した位置情報に基づいて選択し、投影部１１にテストパターン画像候補を投影させてもよい。例えば、選択部１７２は、図３に示すように、投影画像１００ａにおけるエッジブレンディング領域２００が左右位置に設定されている場合に、図６におけるＩＤ１からＩＤ８までのテストパターン画像のうち、左右位置に適したＩＤ１，ＩＤ３，ＩＤ５及びＩＤ６のテストパターン画像を選択して、これらのテストパターン画像の縮小画像を投影部１１に投影させる。
【００３８】
選択部１７２は、操作部１３を介して、複数のテストパターン画像候補からユーザが所望するテストパターン画像を選択する操作を受け付ける。具体的には、選択部１７２は、操作部１３を介して、ユーザが選択したテストパターン画像候補を示す情報を取得し、取得した情報に基づいて、ユーザが選択したテストパターン画像を特定し、特定したテストパターン画像を投影部１１に投影させる。このようにすることで、プロジェクタ１は、エッジブレンディング領域２００の位置に適した複数のテストパターン画像のうち、ユーザの好みに合ったテストパターン画像を投影することができる。
【００３９】
［投影システムＳにおける処理の手順］
図７は、プロジェクタ１がテストパターン画像を投影するまでの処理の手順を示すフローチャートである。以下、図７を参照して、プロジェクタ１が、マルチ投影を開始してからテストパターン画像を投影するまでの処理の手順について説明する。
【００４０】
まず、ユーザが、複数のプロジェクタ１の電源を投入して、マルチ投影モードに設定することにより、複数のプロジェクタ１がマルチ投影を開始する（ステップＳ１００）。続いて、ユーザが、マルチ投影時の画面の調整を行うためのメニュー画像を表示させる操作を行うと、各プロジェクタ１は、マルチ投影画面調整用のメニュー画像を投影する（ステップＳ１０１）。
【００４１】
続いて、各プロジェクタ１の取得部１７１は、ユーザの操作に基づいて、エッジブレンディング領域の位置を示す位置情報を取得し、選択部１７２は、エッジブレンディング領域の位置を特定する（ステップＳ１０２）。続いて、選択部１７２は、特定したエッジブレンディング領域の位置に基づいて、特定した位置に適したテストパターン画像候補を選択し、選択したテストパターン画像候補を投影部１１に投影させる（ステップＳ１０３）。ユーザが、複数のテストパターン画像候補から一のテストパターン画像を選択すると、選択部１７２は、ユーザにより選択されたテストパターン画像を投影させる（ステップＳ１０４）。
【００４２】
図８は、図７におけるステップＳ１０３のテストパターン画像候補を投影する処理の手順を示すフローチャートである。
まず、選択部１７２は、エッジブレンディング領域の位置を設定するメニュー画面において、エッジブレンディング領域の位置が左端又は右端（左右位置）に設定されているか否かを判定する（ステップＳ２００）。選択部１７２は、エッジブレンディング領域の位置が左右位置に設定されていると判定した場合（ステップＳ２００でＹＥＳ）、エッジブレンディング領域が上端又は下端（上下位置）にも設定されているか否かを判定する（ステップＳ２０１）。
【００４３】
選択部１７２は、ステップＳ２０１において、エッジブレンディング領域が上下位置には設定されていないと判定すると（ステップＳ２０１でＮＯ）、左右位置に適したテストパターン画像候補を選択する（ステップＳ２０２）。選択部１７２は、ステップＳ２０１において、エッジブレンディング領域の位置が上下位置にも設定されていると判定すると（ステップＳ２０１でＹＥＳ）、左右位置及び上下位置に適したテストパターン画像候補を選択する（ステップＳ２０３）。
【００４４】
また、選択部１７２は、ステップＳ２００において、エッジブレンディング領域の位置が左右位置に設定されていないと判定した場合（ステップＳ２００でＮＯ）、エッジブレンディング領域の位置が上下位置に設定されているか否かを判定する（ステップＳ２０４）。選択部１７２は、エッジブレンディング領域の位置が上下位置に設定されていると判定すると（ステップＳ２０４でＹＥＳ）、上下位置に適したテストパターン画像候補を選択する（ステップＳ２０５）。
【００４５】
選択部１７２は、ステップＳ２０４において、エッジブレンディング領域の位置が上下位置に設定されていないと判定すると（ステップＳ２０４でＮＯ）、全てのテストパターン画像候補を選択する（ステップＳ２０６）。
選択部１７２は、ステップＳ２０２，Ｓ２０３，Ｓ２０５，Ｓ２０６においてテストパターン画像候補を選択すると、選択したテストパターン候補を投影部１１に投影させる（ＳステップＳ２０７）。
【００４６】
（変形例１）
上記の説明において、選択部１７２が、エッジブレンディング領域の位置に適したテストパターン画像候補の縮小画像を投影させる例について説明したが、テストパターン画像候補を投影する方法は、これに限らない。選択部１７２は、テストパターン画像を選択する前に、位置情報に基づいて定められた順番に、投影部１１にテストパターン画像候補を投影させてもよい。
【００４７】
例えば、選択部１７２は、図３に示すように、エッジブレンディング領域が左右位置に設定されている場合に、ＩＤ１→ＩＤ３→ＩＤ５→ＩＤ６→ＩＤ２→ＩＤ４→ＩＤ７→ＩＤ８の順番に、エッジブレンディング領域の位置に適したテストパターン画像候補を優先的に投影した後に、他の全てのテストパターン画像候補を投影させてもよい。選択部１７２は、図４に示すように、エッジブレンディング領域が上下位置に設定されている場合に、ＩＤ２→ＩＤ４→ＩＤ５→ＩＤ６→ＩＤ１→ＩＤ３→ＩＤ７→ＩＤ８の順番にテストパターン画像候補を投影させる。選択部１７２は、図５に示すように、エッジブレンディング領域が左右位置及び上下位置に設定されている場合に、ＩＤ５→ＩＤ６→ＩＤ１→ＩＤ２→ＩＤ３→ＩＤ４→ＩＤ７→ＩＤ８の順番にテストパターン画像候補を投影させる。
【００４８】
この構成によれば、エッジブレンディング設定が有効化されている際に、エッジブレンディング領域の位置に適したテストパターン画像が優先的に投影される。したがって、ユーザが、エッジブレンディング設定を簡便に実施することができるとともに、エッジブレンディング以外の用途のテストパターンも選択可能となる。
【００４９】
（変形例２）
上記の説明において、選択部１７２は、エッジブレンディング機能が起動している場合に第１種別テストパターン画像を選択し、エッジブレンディング機能が起動していない場合に第２種別テストパターン画像を選択する例について説明したが、これに限らない。選択部１７２は、エッジブレンディング領域のエッジ位置の調整（第１種別調整）が行われている間は、第１種別テストパターン画像を選択し、第１種別調整以外の調整（第２種別調整）が行われている間は、第２種別テストパターン画像を選択してもよい。選択部１７２は、第２種別調整が行われている間に、第１種別テストパターン画像及び第２種別テストパターン画像の両方を選択してもよい。
【００５０】
選択部１７２は、例えば、マルチ投影画面を作成する際に用いられる補助マーカーが有効になっている場合、すなわち第１種別調整が行われている場合に、エッジブレンィング領域の位置を特定し、特定した位置に基づいてテストパターン画像を選択する。選択部１７２は、補助マーカーが無効になった後に、マルチ投影に関する調整以外の調整に用いる第２種別テストパターン画像を選択する。なお、補助マーカーは、例えば、エッジブレンディング領域の開始位置及び終端位置を示す画像である。
【００５１】
この構成によれば、ユーザは、補助マーカーが有効化されているマルチ投影画面の作成中は、エッジブレンディング領域の調整に適したテストパターン画像を選択できる。そして、ユーザは、マルチ投影画面を作成した後に補助マーカーが無効化された時には、他のテストパターン画像を選択することができる。したがって、ユーザが、調整の目的に適したテストパターン画像を選択しやすくなる。
【００５２】
（変形例３）
上記の説明において、選択部１７２は、取得部１７１が取得した位置情報に基づいてエッジブレンディング領域２００の位置を特定する例について説明したが、エッジブレンディング領域２００の位置を特定する方法は、これに限らない。例えば、選択部１７２は、投影画像１００の並び方に応じて、テストパターン画像を選択してもよい。具体的には、選択部１７２は、プロジェクタ１ａ，１ｂが左右方向に並んで配置されている場合、エッジブレンディング領域が左右位置である場合に適したテストパターン画像を選択する。また、選択部１７２は、プロジェクタ１ａ，１ｂが上下方向に重ねて配置されている場合、エッジブレンディング領域が上下位置である場合に適したテストパターン画像を選択する。
【００５３】
また、選択部１７２は、複数のプロジェクタ１が、左右方向及び上下方向に並んで配置されている場合（例えば、図５に示した配置の場合）、まず、エッジブレンディング領域が左右位置である場合に適したテストパターン画像を選択して投影させた後に、エッジブレンディング領域が上下位置である場合に適したテストパターン画像を選択して投影させてもよい。このようにすることで、ユーザは、複数のプロジェクタ１を複数の方向に並べて使用する場合に、エッジブレンディング領域の調整を効率的に行うことができる。
【００５４】
［第１の実施形態における効果］
以上説明したように、第１の実施形態に係るプロジェクタ１は、選択部１７２が、投影画像におけるエッジブレンディング領域の位置を特定し、特定した位置に基づいて、複数のテストパターン画像から一のテストパターン画像を選択する。そして、投影部１１は、選択部１７２により選択されたテストパターン画像を出力する。従来、マルチ投影時には、ユーザが、さまざまなテストパターン画像から、マルチ投影時のプロジェクタ１の配置に適したテストパターン画像を探すことが煩雑であった。しかし、本実施形態に係るプロジェクタ１の上記の構成により、エッジブレンディング領域の位置に適したテストパターン画像が短時間で表示されるので、ユーザは、最適なテストパターン画像を探す煩雑な作業をすることなく、プロジェクタ１の配置に適したテストパターン画像を用いて調整作業を行うことができる。
【００５５】
＜第２の実施形態＞
第１の実施形態においては、ユーザが、複数のプロジェクタ１の夫々においてエッジブレンディング領域２００の位置を設定し、ユーザが設定した位置に基づいて、各プロジェクタ１の選択部１７２がテストパターン画像を選択することが想定されていた。これに対して、第２の実施形態においては、ユーザが、１台のプロジェクタ１においてマルチ投影に関する設定をした内容に基づいて、他のプロジェクタ１の選択部１７２が、エッジブレンディング領域２００の位置に適したテストパターン画像を選択する点で、第１の実施形態と異なる。
【００５６】
図９は、第２の実施形態に係るプロジェクタ１の構成を示す図である。図９に示すプロジェクタ１は、通信部１８をさらに有する点で、図２に示した第１の実施形態に係るプロジェクタ１と異なり、他の点で同じである。
【００５７】
通信部１８は、例えば、ＬＡＮコントローラ、無線通信コントローラ又はＵＳＢコントローラ等の通信用デバイスを有しており、制御部１７の制御に基づいて、他のプロジェクタ１との間で情報を送受信する。具体的には、通信部１８は、選択部１７２が選択したテストパターン画像の特定に用いられる特定情報を他のプロジェクタ１に送信する。また、通信部１８は、他のプロジェクタ１の選択部１７２が選択したテストパターン画像の特定に用いられる特定情報を受信する。
【００５８】
特定情報は、例えば、ユーザが選択したテストパターン画像のＩＤ番号、ユーザが設定したエッジブレンディング領域２００の位置を示す情報、又はユーザが設定したプロジェクタ１の配置に関する情報等である。選択部１７２は、通信部１８が他のプロジェクタ１から受信した特定情報に基づいて、ＲＯＭ１５に記憶された複数のテストパターン画像から一のテストパターン画像を選択する。
【００５９】
例えば、プロジェクタ１ａ，１ｂが図１に示したように配置されている場合に、ユーザが、プロジェクタ１ａにおいて、エッジブレンディング領域２００が投影画像１００ａの右端に位置することを設定したとする。この場合、プロジェクタ１ａの通信部１８は、エッジブレンディング領域２００が右端に設定されたことを示す特定情報をプロジェクタ１ｂに送信する。
【００６０】
プロジェクタ１ｂの選択部１７２は、自身のエッジブレンディング領域２００が、受信した特定情報が示す位置と反対側の位置であると判定する。具体的には、プロジェクタ１ｂの選択部１７２は、受信した特定情報に基づいて、プロジェクタ１ｂのエッジブレンディング領域２００が、投影画像１００ｂの左端に位置すると判定する。そして、選択部１７２は、複数のテストパターン画像から、エッジブレンディング領域２００が左端に位置する場合に適したテストパターン画像を選択する。
【００６１】
また、プロジェクタ１ａの通信部１８が、プロジェクタ１ａがプロジェクタ１ｂの左側に配置されていることを示す特定情報をプロジェクタ１ｂに送信した場合、プロジェクタ１ｂの選択部１７２は、受信した特定情報に基づいて、プロジェクタ１ｂのエッジブレンディング領域２００が投影画像１００ｂの左端に位置すると判定する。そして、選択部１７２は、複数のテストパターン画像から、エッジブレンディング領域２００が左端に位置する場合に適したテストパターン画像を選択する。
【００６２】
プロジェクタ１ａの通信部１８が、選択部１７２が選択したテストパターン画像のＩＤ番号をプロジェクタ１ｂに送信した場合、プロジェクタ１ｂは、受信したＩＤ番号に対応するテストパターン画像を選択する。
【００６３】
［第２の実施形態における効果］
以上説明したように、第２の実施形態においては、１台のプロジェクタ１の選択部１７２が選択した一のテストパターン画像の特定に用いられる特定情報を他のプロジェクタ１に送信する。そして、他のプロジェクタ１は、受信した特定情報に基づいてテストパターン画像を選択する。上記の構成により、ユーザは、複数のプロジェクタ１において設定操作をする必要がなくなるので、設定に要する時間を短縮することができる。
【００６４】
以上、本発明を実施の形態を用いて説明したが、本発明の技術的範囲は上記実施の形態に記載の範囲には限定されず、その要旨の範囲内で種々の変形及び変更が可能である。例えば、上記の説明においては、左右方向又は上下方向に２台のプロジェクタ１が配置されている例について説明したが、プロジェクタ１の台数はこれに限らず、任意の台数のプロジェクタ１が配置されていてもよい。
【００６５】
また、上記の説明においては、複数のテストパターン画像がＲＯＭ１５に記憶されている例について説明したが、記憶手段はＲＯＭ１５に限らない。複数のテストパターン画像は、プロジェクタ１に接続されたハードディスク又はメモリカード等の外部の記憶媒体に記憶されており、選択部１７２は、外部の記憶媒体からテストパターン画像を読み出してもよい。
【符号の説明】
【００６６】
１・・・プロジェクタ
１１・・・投影部
１５・・・ＲＯＭ
１７・・・制御部
１７２・・・選択部
【図１】
0006598534.tif 000002
【図２】
0006598534.tif 000003
【図３】
0006598534.tif 000004
【図４】
0006598534.tif 000005
【図５】
0006598534.tif 000006
【図６】
0006598534.tif 000007
【図７】
0006598534.tif 000008
【図８】
0006598534.tif 000009
【図９】
0006598534.tif 000010